(57)【要約】【課題】従来、内部にナットを入れる事のできないパイプのボルト止めには、タップ孔をあけボルト締めする方法、または、パイプ対角線上に貫通孔をあけ、この孔同士を結ぶボルトを挿入しボルトとナットで双方の外側面から締め付ける方法があったが、パイプの強度が低いと強い締結ができないという問題があった。【解決手段】ナットは金属製筒形としナットの頭部径は挿入しようとするパイプの外側孔径より小さく、筒形ナット腹部の長さはパイプ外側孔径よりも大きい。このナットを袋状弾性体の中に入れ、ナット頭部からパイプ外側孔より袋状弾性体の伸縮性を利用して挿入し挿入後、復元力によりパイプ内部で９０度回転するためパイプからナットが抜けなくなる。フランジはパイプ外側に残り外側面を、ナットは内側面を挟み込みパイプ内部に脱落する事無くパイプの内に定着しボルト止めができる。【選択図】図１
2007147053.tif 000002
【特許請求の範囲】
【請求項１】
フランジを含む袋状弾性体の中に筒形ナットを納めた事を特徴とするパイプ用外入れナット。
【発明の詳細な説明】
【技術分野】
【０００１】  本発明は、内部に手の入らないパイプに外側孔から挿入するナットに関する。
【背景技術】
【０００２】  従来、パイプと金具等の部材をボルトで締結するにはタップ孔をあけボルトで締め付ける方法、または、パイプ対角線上に貫通孔をあけ、この孔同士を結ぶボルトを挿入しボルトとナットで双方の外側面から締め付ける方法があった。
【発明の開示】
【発明が解決しようとする課題】
【０００３】  パイプにタップを切り金具等を締結する場合、パイプの肉厚と強度が低いと強く締付けた場合、タップが潰れてしまい強い締め付けができない。【０００４】  また、パイプ対角線上に貫通孔をあけ、この孔同士を結ぶボルトを挿入しボルトとナットで双方の外側面から金具等を締め付ける方法は、パイプの強度が低いとパイプが潰れてしまい強い締め付けができない。【０００５】  本発明はこのような問題を解決するためパイプ外側孔からナットを入れ内部に脱落する事なくパイプ内側面に定着させ、パイプ内側面と外側面からボルトで締め付けることにより、パイプ強度に影響されにくい強いボルト止めができるナットの提供を目的とする。
【発明の開示】
【課題を解決するための手段】
【０００６】  そして、本発明は上記目的を達成するため、ナットの材質は金属製、形状は筒形としナットの頭部径は挿入しようとするパイプの外側孔径より小さく、筒形ナット腹部の長さはパイプ外側孔径よりも大きいものである。したがってナットを頭部からパイプ外側孔より挿入後パイプ内で９０度回転すると抜けなくなる。また、ボルトを締め込むためのナットメネジは筒形ナット腹部の中央にパイプ外側孔より小さい貫通するメネジを有する。【０００７】  第２の課題解決手段としてナットをパイプ外側孔より挿入後、脱落せずにパイプ内側面に定着させる手段としてナットはフランジを含む袋状弾性体の中に納めた。また、フランジはパイプ外側孔径より大きい径を有しておりパイプ内には入らない形状である。【０００８】  上記構成の作用を説明する。袋状弾性体に納めたナット部分をパイプ外側孔から押し入れてゆくとフランジのみパイプ外側に残し、袋状弾性体は伸びてナットと共にパイプの中に挿入される。【０００９】  パイプ内部に入った袋状弾性体は元の形へと戻り、弾性体に納まったナットは９０度回転しパイプの内側面にナット部が密着する。パイプ外側に残ったフランジが外側面、ナットは内側面を挟み込みパイプ内部に脱落する事無く定着する。これにボルトを締め込む事でパイプのボルト止めができる。【００１０】  また、弾性体フランジがパッキンの役割を果たし防水効果も発揮することを特徴としている。
【発明の効果】
【００１１】  上記したように本発明のナットはパイプ内側面と外側面からボルト止めを可能とし、かつボルト部からパイプ内に水が入らない。【００１２】  これにより屋外で使用する鉄パイプなどの締結は一般に溶着により防水を兼ねていたが、ボルト止めでもボルト部から浸水しないナットの提供ができる。【００１３】  また、樹脂製丸形パイプで使用した場合でも筒形ナットがパイプと同方向になるように設置すれば、ナットはパイプ内側面に鋭角に接する事なく密着するため締め付けても樹脂製丸形パイプの割れや変形を起さない。
【発明を実施するための最良の形態】
【００１４】  以下、本発明の実施形態を図１〜図５に基づいて説明する。【００１５】  図１においては、フランジ１を含む袋状弾性体本体２は一体を成すものであり、袋状弾性体本体２の中に筒形ナット３が納まっている。また、筒形ナット３は中央部に貫通するメネジ４有している。【００１６】  フランジ１はナット挿入時に袋状弾性体本体２が引っ張られても内部に入らないパイプ外側孔径より大きい径を有している。【００１７】  ６はボルト挿入孔である。【００１８】  袋状弾性体本体２の下部孔５は、締結時にメネジ４を貫通したボルトが袋状弾性体本体２に干渉しないで突き抜ける事ができるように設けられたボルト径と同等の大きさの穴である。【００１９】  また、筒形ナット３はボルト挿入孔６よりボルトを挿入したときに、メネジ４とボルトがはまり合う方向にセットされている。【００２０】  以下、上記構成の設置動作を説明する。図２においてパイプ外側孔８にナット頭部７から押し入れると、袋状弾性体本体２が伸びてナットがパイプに入って行く、ナットがパイプ内に入り終えると、袋状弾性体は元の形に復元し図３のようにパイプ内部でナットを９０度回転させパイプの内側面にナット部を、パイプ外側に残ったフランジが外側面を挟み込みボルトが締付けられる位置にメネジを向け定着する。【００２１】  その後、図４のようにパイプ外側孔８と同等程度のボルト挿入孔をあけた部材９をあてがい２つの孔に直交するボルト１０を差込むと筒形ナットメネジ４にボルト１０のオネジがはまり合いボルトを締め付けることで締結ができる。【００２２】  また、ボルト１０で締め付けるとフランジ１が圧迫され変形しボルト１０オネジ部とパイプ外側孔８および部材外側孔９に密着するため防水効果が得られるものである。
【産業上の利用可能性】
【００２３】  図５はパイプとパイプを締結した例であり１１および１２は角パイプで１３、１４はパイプ同士の締結に使用するアングル形ブラケットである。【００２４】  上述した設置動作でパイプ内部にナットを入れ、アングル形ブラケット１３、１４をあてがう事で、角パイプ１１と角パイプ１２の締結できる。また、本発明はパイプでの使用に限定されず中空部材用ナットとして機能も果たすものである。
【図面の簡単な説明】
【００２５】
【図１】本願発明ナットの部分断面斜視図
【図２】本願発明ナットのパイプへの挿入時参考図
【図３】本願発明ナットのパイプへの定着図
【図４】本願発明ナットの使用状態を示す参考図
【図５】本願発明ナットのパイプ締結状態を示す参考図
【符号の説明】
【００２１】  １  フランジ
２  袋状弾性体本体
３  筒形ナット
４  メネジ
５  袋状弾性体下部孔
６  ボルト挿入孔
７  ナット頭部
８  パイプ外側孔
９  部材外側孔
１０  ボルト
１１  角パイプ
１２  角パイプ
１３  アングル形ブラケット
１４  アングル形ブラケット
【図１】
2007147053.tif 000003
【図２】
2007147053.tif 000004
【図３】
2007147053.tif 000005
【図４】
2007147053.tif 000006
【図５】
2007147053.tif 000007